(57)【要約】【課題】光コネクタの装着を確実に検知することが可能な光モジュール及び光通信システムを提供する。【解決手段】光コネクタ５が装着されると、光コネクタ５のケーシング５０が光モジュール２のモジュール筐体２００に係合し、接続部材２１３Ａ，２１３Ｂの先端面が一対の電極部２２５Ａ，２２５Ｂ、および２２５Ｃ，２２５Ｄに面接触して短絡させる。これにより、光コネクタ５の装着が検知される。電極部２２５Ａ〜２２５Ｄは、面接触によって短絡するので、電極部の磨耗や断線が生じにくいため、光コネクタ５の装着を確実に検知することが可能となる。【選択図】図２
2007304266.tif 000002
【特許請求の範囲】
【請求項１】
光伝送媒体が光コネクタを介して接続され、光信号と電気信号との間で光／電変換を行う光素子を有する光モジュールにおいて、
前記光コネクタの装着により前記光コネクタのケーシングが係合するモジュール筐体と、
前記モジュール筐体内に設けられ、前記光コネクタの装着により面接触して短絡する一対の導電パターンとを備えたことを特徴とする光モジュール。
【請求項２】
前記モジュール筐体内に移動可能に設けられ、前記光コネクタの装着により移動し前記一対の導電パターンに面接触して短絡させる接続部材を備えたことを特徴とする請求項１に記載の光モジュール。
【請求項３】
前記接続部材は、導電性を有する材料からなり、前記一対の導電パターン間を前記接続部材を介して短絡することを特徴とする請求項２に記載の光モジュール。
【請求項４】
前記一対の導電パターンは、所定の距離を設けて少なくとも２組が配設され、
前記接続部材は、少なくとも２組の前記一対の導電パターンに対応して少なくとも２つが配設されたことを特徴とする請求項２に記載の光モジュール。
【請求項５】
折曲して形成された重合部を有するフレキシブル基板を備え、
前記一対の導電パターンは、前記フレキシブル基板の前記重合部の対向する面にそれぞれ分かれて形成されたことを特徴とする請求項１に記載の光モジュール。
【請求項６】
前記一対の導電パターンは、櫛歯形を有する一対の電極部であることを特徴とする請求項１に記載の光モジュール。
【請求項７】
前記モジュール筐体は、前記光コネクタの代わりにキャップが装着されたとき、前記キャップに設けた導電性の接続部材によって短絡する第２の一対の電極部を備えたことを特徴とする請求項１に記載の光モジュール。
【請求項８】
光伝送媒体が光コネクタを介して接続され、光信号と電気信号との間で光／電変換を行う光素子を有する光モジュールにおいて、
前記光コネクタの装着により前記光コネクタのケーシングが係合するモジュール筐体と、
前記モジュール筐体内に設けられ、前記光コネクタの装着により面接触して短絡する一対の導電パターンと、
前記モジュール筐体内に移動可能に設けられたホルダと、
前記ホルダに設けられ、前記光伝送媒体を前記光素子に光学的に結合させるレンズ部と、
前記ホルダに設けられ、前記光コネクタの装着により移動して前記一対の導電パターンに面接触して短絡させる接続部材とを備えたことを特徴とする光モジュール。
【請求項９】
スリットにより分離され、前記光素子が搭載された第１の基板部、および前記一対の導電パターンが形成された第２の基板部を有するフレキシブル基板を備え、
前記第１の基板部は、前記ホルダに取り付けられていることを特徴とする請求項８に記載の光モジュール。
【請求項１０】
請求項１乃至９のいずれか１項に記載の光モジュールと、
前記一対の導電パターンの短絡を検知する接続検知手段と、
前記接続検知手段による前記短絡の検知に基づいて前記光モジュールに電源供給を行う電源制御部とを備えたことを特徴とする光通信システム。
【請求項１１】
前記電源制御部は、前記光モジュールに対する通信制御を行うとともに、前記接続検知手段による前記短絡の検知に基づいて前記光モジュールに電源供給を行う通信制御部を備えたことを特徴とする請求項１０に記載の光通信システム。
【請求項１２】
前記電源制御部は、前記接続検知手段による前記短絡の検知信号を入力して前記光モジュールに電源供給を行うトランジスタを備えたことを特徴とする請求項１０に記載の光通信システム。
【発明の詳細な説明】
【技術分野】
【０００１】
本発明は、光ファイバ等の光伝送媒体が光コネクタを介して接続され、光信号と電気信号との間で光／電変換を行う光モジュール及びこれを用いた光通信システムに関する。
【背景技術】
【０００２】
光通信システムにおいては、電気信号を光信号に変換し、あるいは光信号を電気信号に変換する光モジュールが用いられている。このような光モジュールにおいて、光コネクタが装着されなかったり、外れたりした場合、レーザ光が外部に漏れ、人の目に入る可能性がある。
【０００３】
光モジュールに光コネクタを装着しない場合、上記した危険性を回避するため、通常、キャップをするなどして接続部（接続口）を保護している。しかし、光モジュールが実装される基板の機器内部の固定位置や向きによって、或いは、その設置環境によっては振動等により、キャップが外れてコネクタの端子部が露出し、上記したように、レーザ光が漏れて人の目に入る可能性がある。また、金属等の接触による短絡、埃等の付着による短絡等が発生する可能性もある。
【０００４】
この光コネクタの外れを考慮した従来の光モジュールとして、光送信回路側のレセプタクルの両側にメタライズされた一対の爪部を設けておき、光コネクタをレセプタクルに挿入したときに、光コネクタの金属ハウジングが一対の爪部を短絡することで光コネクタの装着を検知する検知回路を構成し、光コネクタが外れたときには、爪部の端子を短絡から開放するものが知られている（例えば、特許文献１参照。）。
【特許文献１】特２００１−８３３７６号公報（（［００１１］、［００１２］、図１、図２）
【発明の開示】
【発明が解決しようとする課題】
【０００５】
しかし、従来の光モジュールによると、光コネクタの着脱回数が多くなると、爪部のメタライズ処理面が擦られて磨耗し、接続不良を発生し易くなる。また、爪部に接続された配線が光コネクタの挿入の仕方によっては断線を生じる可能性がある。
【０００６】
従って、本発明の目的は、光コネクタの装着を確実に検知することが可能な光モジュール及び光通信システムを提供することにある。
【課題を解決するための手段】
【０００７】
上記目的を達成するための本発明の一態様として、以下の光モジュールおよび光通信システムを提供する。
【０００８】
［１］光伝送媒体が光コネクタを介して接続され、光信号と電気信号との間で光／電変換を行う光素子を有する光モジュールにおいて、前記光コネクタの装着により前記光コネクタのケーシングが係合するモジュール筐体と、前記モジュール筐体内に設けられ、前記光コネクタの装着により面接触して短絡する一対の導電パターンといを備えたことを特徴とする光モジュール。
【０００９】
上記構成の光モジュールによれば、一対の導電パターンは、面接触によって短絡するので、導電パターンの磨耗や断線が生じにくくなる。上記光伝送媒体には、ガラスまたはプラスチックからなる光ファイバ、光ファイバアレイ等が含まれる。また、上記導電パターンには、櫛歯形、渦巻き形、同心円形、ジグザグ形等の形状からなるパターンが含まれる。
【００１０】
［２］前記モジュール筐体内に移動可能に設けられ、前記光コネクタの装着により移動し前記一対の導電パターンに面接触して短絡させる接続部材を備えたことを特徴とする前記［１］に記載の光モジュール。接続部材を光モジュール側に設けることで、光コネクタを小型にすることができる。なお、接続部材は、光コネクタ側に設けてもよい。
【００１１】
［３］前記接続部材は、導電性を有する材料からなり、前記一対の導電パターン間を前記接続部材を介して短絡することを特徴とする前記［２］に記載の光モジュール。接続部材は、全体的に導電性を有する材料からなるものだけでなく、樹脂等の非導電性材料からなり、導電パターンに接触する面に金属膜が形成されたものや、非導電性材料と導電性材料とを組合わせたものでもよい。
【００１２】
［４］前記一対の導電パターンは、所定の距離を設けて少なくとも２組が配設され、前記接続部材は、少なくとも２組の前記一対の導電パターンに対応して少なくとも２つが配設されたことを特徴とする前記［２］に記載の光モジュール。この構成によれば、光コネクタが斜めに挿入されるのを防止することができる。
【００１３】
［５］折曲して形成された重合部を有するフレキシブル基板を備え、前記一対の導電パターンは、前記フレキシブル基板の前記重合部の対向する面にそれぞれ分かれて形成されたことを特徴とする前記［１］に記載の光モジュール。この構成によれば、接続部材として、導電性材料に限られず、樹脂等の非導電性材料を用いることができる。
【００１４】
［６］前記一対の導電パターンは、櫛歯形を有する一対の電極部であることを特徴とする前記［１］に記載の光モジュール。この構成によれば、短絡部を増すことができ、短絡を確実にすることができる。
【００１５】
［７］前記モジュール筐体は、前記光コネクタの代わりにキャップが装着されたとき、前記キャップに設けた導電性の接続部材によって短絡する第２の一対の電極部を備えたことを特徴とする前記［１］に記載の光モジュール。この構成によれば、光コネクタが装着されず、かつ、キャップが外れているときは、光モジュールへの電源供給を停止することが可能となり、安全性を高めることができる。
【００１６】
［８］光伝送媒体が光コネクタを介して接続され、光信号と電気信号との間で光／電変換を行う光素子を有する光モジュールにおいて、前記光コネクタの装着により前記光コネクタのケーシングが係合するモジュール筐体と、前記モジュール筐体内に設けられ、前記光コネクタの装着により面接触して短絡する一対の導電パターンと、前記モジュール筐体内に移動可能に設けられたホルダと、前記ホルダに設けられ、前記光伝送媒体を前記光素子に光学的に結合させるレンズ部と、前記ホルダに設けられ、前記光コネクタの装着により移動して前記一対の導電パターンに面接触して短絡させる接続部材とを備えたことを特徴とする光モジュール。この構成によれば、光コネクタの挿入に伴って、レンズ部、光素子が移動するので、光コネクタ、レンズ部および光素子の位置精度が高くなる。レンズ部は、光伝送媒体が複数の光路を有する場合に、各光路に対応してレンズをアレイ状に配列したレンズアレイや、各光路に共通のレンズを用いることができる。
【００１７】
［９］スリットにより分離され、前記光素子が搭載された第１の基板部、および前記一対の導電パターンが形成された第２の基板部を有するフレキシブル基板を備え、前記第１の基板部は、前記ホルダに取り付けられていることを特徴とする前記［８］に記載の光モジュール。この構成によれば、光素子および一対の導電パターンを備える基板として、フレキシブル基板を用いることにより、第１の基板部がホルダの移動に伴って移動することが可能となる。
【００１８】
［１０］前記［１］乃至［９］のいずれか１つに記載の光モジュールと、前記一対の導電パターンの短絡を検知する接続検知手段と、前記接続検知手段による前記短絡の検知に基づいて前記光モジュールに電源供給を行う電源制御部とを備えたことを特徴とする光通信システム。
【００１９】
上記構成の光通信システムによれば、光コネクタが光モジュールに装着されると、接続検知手段が一対の導電パターンの短絡を検知するので、簡単な構成により光コネクタの確実な装着検知が可能になる。
【００２０】
［１１］前記電源制御部は、前記光モジュールに対する通信制御を行うとともに、前記接続検知手段による前記短絡の検知に基づいて前記光モジュールに電源供給を行う通信制御部を備えたことを特徴とする前記［１０］に記載の光通信システム。
【００２１】
［１２］前記電源制御部は、前記接続検知手段による前記短絡の検知信号を入力して前記光モジュールに電源供給を行うトランジスタを備えたことを特徴とする前記［１０］に記載の光通信システム。
【発明の効果】
【００２２】
本発明によれば、光コネクタの装着を確実に検知することが可能となる。
【発明を実施するための最良の形態】
【００２３】
［第１の実施の形態］
（光通信システムの構成）
図１は、本発明の第１の実施の形態に係る光通信システムを示す。この光通信システム１００は、ホスト装置１と、光伝送媒体としての光ファイバアレイ４の端部に固定された光コネクタ５が装着され、光／電変換を行う光モジュール２と、光モジュール２に電源を供給する電源制御部３とを有して概略構成されている。なお、光モジュール２及び電源制御部３は、複数からなる構成であってもよい。また、光モジュール２は、送信専用または受信専用の構成であってもよい。
【００２４】
ホスト装置１は、例えば、サーバー、コンピュータ等からなり、データ伝送線６及び信号線７を介して電源制御部３に接続されている。
【００２５】
（光モジュール）
光モジュール２は、受光素子としてのフォトダイオード（ＰＤ）２２１と、発光素子としてのレーザダイオード（ＬＤ）２２２と、ＰＤ２２１による受信信号に増幅等の処理を施す受信回路２２３と、ＬＤ２２２を駆動する駆動回路２２４と、後述するレセプタクル２１０に設けた導電性を有する接続部材２１３Ａ，２１３Ｂと、電源制御部３の後述する保護回路３３Ａ，３３Ｂに接続されると共に、光コネクタ５が装着されたとき、接続部材２１３Ａ，２１３Ｂに接触して閉回路を構成する接続検知用導電パターンとしての電極部２２５Ａ，２２５Ｂ，２２５Ｃ，２２５Ｄとを備える。ここで、電極部２２５Ａ〜２２５Ｄと接続部材２１３Ａ，２１３Ｂは、接続検知手段を構成している。
【００２６】
また、光モジュール２は、金属等の導電部材からなる接続部材１４を備え、光コネクタ５が装着されないとき、光コネクタ５に代えて光モジュール２に装着されるキャップ１２と、後述するモジュール筐体に設けられ、キャップ１２が光モジュール２に装着されたとき、接続部材１４に接触して閉回路を構成する第２の一対の電極部としての電極部１３Ａ，１３Ｂとを備える。
【００２７】
（電源制御部）
電源制御部３は、ホスト装置１と受信回路２２３および駆動回路２２４との間で通信制御を行う他、受信回路２２３及び駆動回路２２４への電源供給制御を行う通信制御部３１と、検知信号Ｓｐ０に基づいて受信回路２２３及び駆動回路２２４に供給する電源のオン／オフを制御するトランジスタ３２と、電極部２２５Ａ，２２５Ｃ及び電極部１３Ａから侵入するノイズ、サージ電圧等を除去する保護回路３３Ａ〜３３Ｃと、保護回路３３Ａ，３３Ｂから検知信号Ｓｐ１，Ｓｐ２が到来したときに出力信号（検知信号Ｓｐ０）を生成して通信制御部３１ヘ出力するＡＮＤ回路３４とを備える。
【００２８】
なお、通信制御部３１、受信回路２２３及び駆動回路２２４は、ＩＣ化され、保護回路３３Ａ〜３３Ｃは、モジュール化されたものが、小型化する上で好適である。
【００２９】
トランジスタ３２は、コレクタが正電位の電源Ｖｓに接続され、エミッタが受信回路２２３及び駆動回路２２４の電源入力端に接続され、ベースが通信制御部３１の駆動電圧出力端に接続されている。
【００３０】
保護回路３３Ａ〜３３Ｃは、同一構成であるので、保護回路３３Ａについて説明する。
保護回路３３Ａは、一端が電源Ｖｓに接続された抵抗３３０ａと、抵抗３３０ａに一端が接続され、他端が電極部２２５Ａに一端が接続された抵抗３３０ｂと、抵抗３３０ｂの他端と接地間に接続されたコンデンサ３３０ｃからなるハイカットフィルタの構成になっている。
【００３１】
なお、保護回路３３Ｂは、抵抗３３０ａ，３３０ｂの接続点がＡＮＤ回路３４に接続され、抵抗３３０ｂの他端が電極部２２５Ｃに接続されている。更に、保護回路３３Ｃは、抵抗３３０ａ，３３０ｂの接続点が通信制御部３１に接続され、抵抗３３０ｂの他端が電極部１３Ａに接続されている。
【００３２】
（光モジュールと光コネクタとの接続構造）
図２は、光モジュールと光コネクタとの接続構造を示し、（ａ）は断面図、（ｂ）は要部断面である。光モジュール２および光コネクタ５は、光学的、機械的に接続可能な接続構造を有している。その接続構造を以下に説明する。
【００３３】
（光モジュールの接続構造）
光モジュール２は、図２（ａ）に示すように、光コネクタ５の溝５０ａが係止するフック部２００ａを有するモジュール筐体２００と、モジュール筐体２００内に固定されたレセプタクル２１０とを有する。
【００３４】
レセプタクル２１０は、モジュール筐体２００に固定されたケース２１１と、ケース２１１内に光コネクタ５の挿脱方向に移動可能に配置され、レンズアレイ２１２および一対の接続部材２１３Ａ，２１３Ｂを保持するレンズホルダ２１４と、レンズホルダ２１４を光コネクタ５の引き出し方向に付勢する板バネ２１５と、ケース２１１内に配置されたフレキシブル基板２２０とを有して構成されている。一対の接続部材２１３は、棒状の導電部材からなり、レンズホルダ２１４を貫通するように設けられている。なお、板バネ２１５は、コイルバネ、ゴム等の弾性体であってもよい。
【００３５】
フレキシブル基板２２０は、図２（ａ），（ｂ）に示すように、レンズホルダ２１４内に配置された第１の基板部２２０ａと、ケース２１１の内面に配置された第２の基板部２２０ｂとを有する。第１の基板部２２０ａには、上記のＰＤ２２１およびＬＤ２２２が配置され、第２の基板部２２０ｂには、電極部２２５Ａ（２２５Ｂ），２２５Ｃ（２２５Ｄ）が形成されている。
【００３６】
ケース２１１は、樹脂等から形成されており、板バネ２１５によって光コネクタ５の引き出し方向に付勢されてもレンズホルダ２１４が脱落しないようにフック部２１１ａを有している。
【００３７】
（光コネクタの接続構造）
光コネクタ５は、光ファイバアレイ４の端面が露出する開放端を有する筒状のケーシング５０と、ケーシング５０内に固定されたスプリング受け５１と、ケーシング５０内に配設されて、光ファイバアレイ４をケーシング５０内に正確に位置決めするフェルール５２と、スプリング受け５１とフェルール５２との間に配設され、フェルール５２を開放端側に付勢するスプリング５３とを備える。
【００３８】
ケーシング５０は、樹脂等から形成されており、モジュール筐体２００に形成された一対のフック部２００ａに嵌合する溝５０ａと、溝５０ａの内側に小径部５０ｂを有する。
【００３９】
フェルール５２は、樹脂あるいは金属からなり、スプリング受け５１側にケーシング５０の小径部５０ｂの内径よりも大きい外径の大径部５２ａを有し、スプリング５３によって開放端側に付勢されても大径部５１ａがケーシング５０の小径部５０ｂに当接してフェルール５２が外れないように構成されている。また、フェルール５２は、レセプタクル２１０のレンズホルダ２１４に設けた一対の接続部材２１３Ａ，２１３Ｂが嵌入する穴５２ｂを有する。
【００４０】
（光コネクタの接続検知構造）
図３は、光コネクタ５の接続検知構造を示す。同図中、（ａ）は接続検知構造の全体を示す斜視図であり、（ｂ）は電極部の他の構成を示す展開図である。なお、図３においては、モジュール筐体２００の図示を省略している。
【００４１】
レンズホルダ２１４は、前述したように光モジュール２のケース２１１内に組み込まれている。図３の（ａ）に示すように、ＰＤ２２１及びＬＤ２２２の受発光面に対向する位置にレンズホルダ２１４が配置される。レンズアレイ２１２の両側には、接続部材２１３Ａ，２１３Ｂがレンズホルダ２１４を貫通しており、先端面が電極部２２５Ａ〜２２５Ｄに接触可能に取り付けられている。
【００４２】
フレキシブル基板２２０は、図３の（ａ）に示すように、第１および第２の基板部２２０ａ，２２０ｂを分離するスリット２２０ｃが形成されており、第１の基板部２２０ａには、ＰＤ２２１及びＬＤ２２２が実装され、その両側の第２の基板部２２０ｂには、櫛歯形のパターンの電極部２２５Ａ，２２５Ｂと、同パターンの電極部２２５Ｃ，２２５Ｄとが設けられている。また、フレキシブル基板２２０は、受信回路２２３及び駆動回路２２４が設けられている。
【００４３】
図３の（ｂ）は、電極の他の構成を示す。電極部２２５Ａ，２２５Ｂについて説明すると、電極部２２５Ａ，２２５Ｂはフレキシブル基板２２０上に所定の距離をおいて配線されており、図示の破線位置Ｘから、電極部２２５Ａ，２２５Ｂが内側になるようにして２つ折りすると、接続部材２１３Ａ，２１３Ｂにより押圧されたときに電極部２２５Ａ，２２５Ｂが接触して閉回路が構成される。この場合、接続部材２１３Ａ，２１３Ｂは、導電性を有する必要はなく、例えば、絶縁体からなる構成であってもよい。
【００４４】
なお、受信回路２２３、駆動回路２２４及び電極部２２５Ａ〜２２５Ｄは、１枚のフレキシブル基板２２０に実装したが、受信回路２２３及び駆動回路２２４を別の基板に実装する構成であってもよい。
【００４５】
（光通信システムの動作）
次に、光通信システム１００の動作について図４を参照して説明する。図４は、光コネクタ５を光モジュール２に接続する前の状態を示す断面図である。
【００４６】
光通信システム１００を運用する場合、システムの管理者等は、予め、ホスト装置１と電源制御部３をデータ伝送線６及び信号線７により接続すると共に、電源制御部３に光モジュール２を装着する。
【００４７】
（１）光コネクタ５の接続、検知動作
次に、光コネクタ５を光モジュール２に接続する。この場合は、光ファイバアレイ４を装着済の光コネクタ５のケーシング５０の溝５０ａを、モジュール筐体２００のフック部２００ａに嵌合させる。
【００４８】
このとき、図２、図４に示すように、接続部材２１３Ａ，２１３Ｂがフェルール５２の穴５２ｂに嵌入するとともに、フェルール５２がスプリング受け５１側に移動する。また、レンズホルダ２１４が電極部２２５Ａ〜２２５Ｄ側に移動し、接続部材２１３Ａ，２１３Ｂの先端面が電極部２２５Ａ，２２５Ｂ間及び電極部２２５Ｃ，２２５Ｄ間を短絡する。電極部２２５Ａ，２２５Ｂ間が接続部材２１３Ａによって短絡すると、保護回路３３Ａのコンデンサ３３０ｃの端子電圧が電源Ｖｓに等しい“Ｈ”レベルの電圧から、これより低い“Ｌ”レベルの電圧に下がることにより、保護回路３３Ａから検知信号Ｓｐ１が出力される。同様に、電極部２２５Ｃ，２２５Ｄ間が接続部材２１３Ｂによって短絡することにより、保護回路３３Ｂから検知信号Ｓｐ２が出力される。
【００４９】
なお、光コネクタ５が接続されておらず、キャップ１２が光コネクタ５に代えて装着されている場合、接続部材１４が電極部１３Ａ，１３Ｂ間を短絡するため、保護回路３３Ｃを介して検知信号Ｓｃが通信制御部３１に通知される。
【００５０】
保護回路３３Ａ，３３Ｂからの検知信号Ｓｐ１，Ｓｐ２は、ＡＮＤ回路３４によって論理積がとられ、ＡＮＤ回路３４は検知信号Ｓｐ０を出力する。ＡＮＤ回路３４は、検知信号Ｓｐ１または検知信号Ｓｐ２の一方が入力されなかったとき、検知信号Ｓｐ０を出力せず、光コネクタ５が完全に装着されたときにのみ検知信号Ｓｐ０を出力する。通信制御部３１は、検知信号ＳＰ０に基づいて光コネクタ５が装着されたことを認識する。
【００５１】
通信制御部３１は、検知信号Ｓｐ０に基づいてトランジスタ３２をオンにし、電源Ｖｓと受信回路２２３及び駆動回路２２４のそれぞれの電源ラインとを接続し、受信回路２２３及び駆動回路２２４を動作させる。
【００５２】
なお、光コネクタ５が接続されてから、一定期間またはＰＤ２２１からの信号を検知するまでの間、通信制御部３１は、ＬＤ２２２の光出力を下げた制御を実行する。
【００５３】
（２）送信動作
次に、ホスト装置１が、光モジュール２を介して送信を行う場合の動作について説明する。この場合、ホスト装置１は、送信に際し、電源制御部３の通信制御部３１に送信要求を行う。送信要求を受けた通信制御部３１は、検知信号Ｓｐ０が検知されていることを条件に状態通知信号Ｓｓをホスト装置１へ送出する。
【００５４】
ホスト装置１は、状態通知信号Ｓｓを受け取ると、送信データＤＴをデータ伝送線６へ送出する。通信制御部３１は、ホスト装置１からの送信データＤＴをデータ伝送線８Ｂへ所定のタイミングで送出する。データ伝送線８Ｂからの送信データＤＴは、駆動回路２２４に送られ、駆動回路２２４は送信データＤＴに基づいてＬＤ２２２を駆動する。ＬＤ２２２による光信号は、光コネクタ５を介して光ファイバアレイ４へ送出され、クライアント等の機器へ伝搬される。
【００５５】
通信制御部３１は、光モジュール２への送信データＤＴの送信が終了すると、トランジスタ３２のベースに印加していた駆動電圧の発生を停止し、受信回路２２３及び駆動回路２２４への電源供給を停止し、受信回路２２３及び駆動回路２２４の動作を終了させる。
【００５６】
（３）受信動作
次に、光ファイバアレイ４からのデータをホスト装置１により受信する動作について説明する。ホスト装置１から受信要求が出されると、通信制御部３１は、検知信号Ｓｐ０が検知されていることを条件に状態通知信号Ｓｓをホスト装置１へ送出する。
【００５７】
光ファイバアレイ４から光コネクタ５に光信号が入射すると、光信号はＰＤ２２１によって電気信号に変換され、その電気信号（受信データＤＲ）は受信回路２２３に印加される。受信回路２２３は受信データＤＲを復調し、その受信データＤＲをデータ伝送線８Ａへ送出する。データ伝送線８Ａを介して受信データＤＲを受け取った通信制御部３１は、ホスト装置１へ受信データＤＲを転送する。
【００５８】
通信制御部３１は、ホスト装置１への受信データＤＲの転送が終了すると、トランジスタ３２のベースに印加していた駆動電圧の発生を停止し、受信回路２２３及び駆動回路２２４への電源供給を停止する。これにより、受信回路２２３及び駆動回路２２４は動作を終了する。
【００５９】
（第１の実施の形態の効果）
第１の実施の形態によれば、下記の効果を奏する。
（イ）光モジュール２に光コネクタ５が接続されていることを電極部２２５Ａ〜２２５Ｄと接続部材２１３Ａ，２１３Ｂとの面接触により検知するため、電極部２２５Ａ〜２２５Ｄや接続部材２１３Ａ，２１３Ｂの磨耗や接続不良が生じ難くなり、光コネクタ５の装着検知を確実に行うことができる。
（ロ）電極部２２５Ａ〜２２５Ｄは、受信回路２２３及び駆動回路２２４が実装されるフレキシブル基板２２０に設けることができ、接続部材２１３Ａ，２１３Ｂは、電極間を接続できる構成であればよいため、検知機構の小型化を図ることができる。
（ハ）電極部２２５Ａ〜２２５Ｄは、フレキシブル基板２２０に設けられているため、光コネクタ５の着脱を阻害しない構成にすることができる。
（ニ）光モジュール２に光コネクタ５が接続されていることを条件に光モジュール２の受信回路２２３及び駆動回路２２４に電源供給が行われるため、光モジュール２における電力消費を低減することができる。
（ホ）光コネクタ５が装着されず、キャップ１２が光モジュール２から外れている場合は、電極部２２５Ａ〜２２５Ｄおよび電極部１３Ａ，１３Ｂがそれぞれオープンになるため、検知信号Ｓｐ０，Ｓｃは生成されず、通信制御部３１の制御によりＬＤ２２２が駆動されないため、レーザ光の漏洩に対して安全性を高めることができる。
（ヘ）電源制御部３は、光コネクタ５が光モジュール２に接続されてから一定期間または受光信号を検知するまでの間、光モジュール２のＬＤ２２２の発光出力を抑えて通信を行うことにより、ＬＤ２２２及び駆動回路２２４における電力消費を低減することができる。
【００６０】
［第２の実施の形態］
図５は、本発明の第２の実施の形態に係る光通信システムを示す。本実施の形態は、第１の実施の形態において、トランジスタ３２の駆動を通信制御部３１を介さずにＡＮＤ回路３４の出力信号（検知信号Ｓｐ０）に基づいて行う構成にしたものであり、その他の構成は第１の実施の形態と同様である。
【００６１】
図５に示す構成において、光コネクタ５が光モジュール２に接続されると、ＡＮＤ回路３４から検知信号Ｓｐ０が出力されてトランジスタ３２がオンになり、受信回路２２３及び駆動回路２２４にそれぞれ電源が供給され、受信回路２２３及び駆動回路２２４が動作する。その後のデータの送信及び受信の動作は、第１の実施の形態と同様である。なお、ＡＮＤ回路３４による検知信号Ｓｐ０は通信制御部３１にも出力されており、通信制御部３１は、検知信号Ｓｐ０に基づいて状態通知信号Ｓｓ等を生成する。
【００６２】
上述した第２の実施の形態によれば、光コネクタ５が光モジュール２に接続された時点で、トランジスタ３２がオンになり、受信回路２２３及び駆動回路２２４に電源が供給されるため、通信制御部３１を介さずに受信回路２２３及び駆動回路２２４の電源制御を行うことができる。従って、通信制御部３１は、トランジスタ３２を制御する機能を持たない構成にすることができる。
【００６３】
［第３の実施の形態］
図６は、本発明の第３の実施の形態に係る光通信システムを示す。本実施の形態は、第１の実施の形態において、ＡＮＤ回路３４を除去し、保護回路３３Ａによる検知信号Ｓｐ１は通信制御部３１へ出力し、トランジスタ３２の駆動は保護回路３３Ｂによる検知信号Ｓｐ２により行うと共に、制御線９を通信制御部３１と受信回路２２３との間に布線したものであり、その他の構成は第１の実施の形態と同様である。
【００６４】
図６に示す構成において、光コネクタ５が光モジュール２に接続されることにより、保護回路３３Ｂから検知信号Ｓｐ２を出力してトランジスタ３２がオンになり、受信回路２２３及び駆動回路２２４にそれぞれ電源が供給され、受信回路２２３及び駆動回路２２４が動作する。
【００６５】
一方、光コネクタ５が光モジュール２に接続されることにより、保護回路３３Ａは検知信号Ｓｐ１を通信制御部３１に出力する。通信制御部３１は、検知信号Ｓｐ１に基づいて状態通知信号Ｓｓ等を生成する。その後のデータの送信及び受信の動作は、第１の実施の形態と同様である。なお、ホスト装置１から送信や受信の要求があると、通信制御部３１は制御線９を介して制御信号ＳＲを受信回路２２３へ出力し、受信回路２２３に所定の動作を行わせる。
【００６６】
上述した第３の実施の形態によれば、光コネクタ５が光モジュール２に接続された時点で、トランジスタ３２が検知信号Ｓｐ２に基づいてオンになり、受信回路２２３及び駆動回路２２４に電源が供給されるため、通信制御部３１を介さずに受信回路２２３及び駆動回路２２４の電源印加制御を行うことができる。従って、通信制御部３１は、トランジスタ３２を制御する機能を持たない構成にすることができる。
【００６７】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【図面の簡単な説明】
【００６８】
【図１】本発明の第１の実施の形態に係る光通信システムを示す回路図である。
【図２】本発明の第１の実施の形態に係る光モジュールと光コネクタとの接続構造を示し、（ａ）は断面図、（ｂ）は要部断面である。
【図３】本発明の第１の実施の形態に係る光コネクタの接続検知構造を示し、（ａ）は接続検知構造の全体を示す斜視図、（ｂ）は電極部の他の構成を示す展開図である。
【図４】光コネクタを光モジュールに接続する前の状態を示す断面図である。
【図５】本発明の第２の実施の形態に係る光通信システムを示す回路図である。
【図６】本発明の第３の実施の形態に係る光通信システムを示す回路図である。
【符号の説明】
【００６９】
１  ホスト装置
２  光モジュール
３  電源制御部
４  光ファイバアレイ
５  光コネクタ
６  データ伝送線
７  信号線
８Ｂ，８Ａ  データ伝送線
９  制御線
１２  キャップ
１３Ａ，１３Ｂ  電極部
１４  接続部材
３１  通信制御部
３２  トランジスタ
３３Ａ〜３３Ｃ  保護回路
３４  ＡＮＤ回路
５０  ケーシング
５０ａ  溝
５０ｂ  小径部
５１  スプリング受け
５２  フェルール
５２ａ  大径部
５２ｂ  穴
５３  スプリング
１００  光通信システム
２００  モジュール筐体
２００ａ  フック部
２１０  レセプタクル
２１１  ケース
２１１ａ  フック部
２１２  レンズアレイ
２１３Ａ，２１３Ｂ  接続部材
２１４  レンズホルダ
２１５  板バネ
２２０  フレキシブル基板
２２０ａ  第１の基板部
２２０ｂ  第２の基板部
２２０ｃ  スリット
２２１  ＰＤ（フォトダイオード）
２２２  ＬＤ（レーザダイオード）
２２３  受信回路
２２４  駆動回路
２２５Ａ〜２２５Ｄ  電極部
３３０ａ，３３０ｂ  抵抗
３３０ｃ  コンデンサ
ＤＲ  受信データ
ＤＴ  送信データ
Ｓｃ  検知信号
Ｓｐ０，Ｓｐ１，Ｓｐ２  検知信号
Ｓｓ  状態通知信号
Ｖｓ  電源
【図１】
2007304266.tif 000003
【図２】
2007304266.tif 000004
【図３】
2007304266.tif 000005
【図４】
2007304266.tif 000006
【図５】
2007304266.tif 000007
【図６】
2007304266.tif 000008